(57)【特許請求の範囲】
【請求項１】
予定日時および予定の内容に関する情報からなる予定表情報を記憶する第１の記憶部と、
人名と、その人に関する情報とを記憶する第２の記憶部と、
前記第２の記憶部に記憶されている情報を読み出して、前記人名と、前記その人に関する情報のリストを表示素子に表示するリスト表示モードを生成するモード管理手段と、
前記リスト表示モードにおいて、前記リストから１または複数人の選択指定入力と、予定日時の入力を受け付ける予定入力受付手段と、
予め決められた所定の操作がされたときに、前記予定入力受付手段で受け付けられた前記予定日時と、前記選択指定された１または複数人の前記人名とを少なくとも含む予定表情報を形成し、この形成した予定表情報を前記第１の記憶部に書き込む予定表情報書き込み手段と
を備えることを特徴とする情報処理端末。
【請求項２】
前記予定表情報書き込み手段は、前記選択指定された１または複数人の人に関する情報のうちの一部または全部を前記予定表情報に含めることを特徴とする請求項１に記載の情報処理端末。
【請求項３】
予定日時および予定の内容に関する情報からなる予定表情報を記憶する記憶部と、
ネットワークを通じて情報の提供を受け付けるための通信手段と、
前記通信手段を通じて提供を受けた提供情報を表示素子に表示する提供情報表示モードを生成するモード管理手段と、
前記提供情報表示モードにおいて、前記提供情報により提供されるサービスなどの利用対象の利用予定日時の入力を受け付ける予定日時入力受付手段と、
予め決められた所定の操作がされたときに、前記予定日時入力受付手段で受け付けられた、前記利用予定日時と、前記提供情報から抽出された前記利用対象を示す情報とを含む予定表情報を形成し、この形成した予定表情報を前記記憶部に書き込む予定表情報書き込み手段と
を備えることを特徴とする情報処理端末。
【請求項４】
人名と、その人に関する情報とを記憶保持する人名情報記憶部に記憶されている情報を読み出して、前記人名と、前記その人に関する情報のリストを表示素子に表示するリスト表示モードを生成するモード管理工程と、
前記リスト表示モードにおいて、前記リストから１または複数人の選択指定入力と、予定日時の入力を受け付ける予定入力受付工程と、
予め決められた所定の操作がされたときに、前記予定入力受付工程において受け付けた前記予定日時と、前記選択指定された１または複数人の前記人名とを少なくとも含む予定表情報を形成し、この形成した予定表情報を、予定日時および予定の内容に関する情報からなる予定表情報を記憶保持する予定表情報記憶部に書き込む予定表情報書き込み工程と
を備えることを特徴とする情報処理方法。
【請求項５】
ネットワークを通じて情報の提供を受け付ける通信工程と、
前記通信工程において受け付けた提供情報を表示素子に表示する提供情報表示モードを生成するモード管理工程と、
前記提供情報表示モードにおいて、前記提供情報により提供されるサービスなどの利用対象の利用予定日時の入力を受け付ける予定日時入力受付工程と、
予め決められた所定の操作がされたときに、前記予定日時入力受付工程において受け付けた、前記利用予定日時と、前記提供情報から抽出された前記利用対象を示す情報とを含む予定表情報を形成し、この形成した予定表情報を、予定日時および予定の内容に関する情報からなる予定表情報を記憶保持する記憶部に書き込む予定表情報書き込み工程と
を備えることを特徴とする情報処理方法。
【請求項６】
予定日時および予定の内容に関する情報からなる予定表情報を記憶する第１の記憶部と、
人名と、その人の電話番号を含む電話帳情報を記憶する第２の記憶部と、
前記第２の記憶部の前記電話帳情報から選択された相手との約束日時の入力を受け付ける受付手段と、
前記受付手段を通じて前記約束日時を受け付けた後、所定の操作がされた場合に、前記電話帳情報から選択された相手の情報と、前記約束日時の入力とに応じて相手先の名前を含む予定表情報を形成し、前記第１の記憶部に記録する手段と
を備えることを特徴とする情報処理端末。
【請求項７】
人名と、その人の電話番号を含む電話帳情報を記憶保持する電話帳情報記憶部から目的とする相手先の電話帳情報を選択する選択工程と、
前記選択工程において前記電話帳情報から選択された相手との約束日時の入力を受け付ける受付工程と、
前記受付工程において前記約束日時を受け付けた後、所定の操作がされた場合に、前記電話帳情報から選択された相手の情報と、前記約束日時の入力とに応じて相手先の名前を含む予定表情報を形成し、形成した前記予定表情報を予定表情報記憶部に記憶する工程と
を備えることを特徴とする情報処理方法。
【発明の詳細な説明】
【０００１】
【発明の属する技術分野】
この発明は、例えば、予定表管理機能（スケジュール管理機能）や電話帳機能などの機能を備える情報処理端末およびこの情報処理端末における情報処理方法に関する。
【０００２】
【従来の技術】
予定表管理機能（スケジュール管理機能）や電話帳機能を備えた例えば携帯型の情報処理端末が広く利用されるようになってきている。このような情報処理端末の中には、通信機能を備え、音声通信や、例えば、テキストデータや画像データなどの種々のデータを無線通信するようにすることが可能なものも登場してきている。
【０００３】
例えば、ＰＨＳ端末を使用する例では、伝送速度が３２ｋビット／秒でのデータ通信が可能となり、アナログ電話回線でモデムを使用した場合の伝送速度の２８．８ｋビット／秒または３３．６ｋビット／秒と同程度の伝送速度となり、電子メールのやり取りや、ファクシミリ通信などが、屋内に設置された情報機器からだけでなく、携帯型の情報処理端末により屋外から行える環境が整ってきている。
【０００４】
このように、情報処理端末は、単に情報を蓄積し、これを処理して出力するばかりでなく、通信機能により、音声やデータの送受が可能な情報機器として、広く利用されるようになってきている。
【０００５】
【発明が解決しようとする課題】
ところで、スケジュール管理機能や電話帳機能などを備える例えば携帯型の情報処理端末においては、これらの各機能は単独の機能として存在していため、他の機能により利用される情報を、例えば予定表情報（スケジュール情報）として記憶するようにするには、使用者自身が手動で予定表情報の記憶領域に書き写している。
【０００６】
例えば、通信機能を用い、インターネットを通じて取得した情報の内容や、電話帳情報の内容をスケジュール管理機能で用いる予定表情報として登録する際には、インターネットを通じて取得した情報の内容や、電話帳情報の内容をスケジュール管理機能を用いて、予定表情報の記憶領域に書き写すなどの作業が必要となる。
【０００７】
このように、情報処理端末に取り込まれた情報であっても、目的とする機能で使用できるようにするためには、使用者による情報の書き写し作業が必要となり、手間がかかり面倒である。また、情報を書き写す際に、使用者が入力を間違えるなどして正確な情報を書き写すことができない可能性も高い。
【０００８】
この発明は、以上の点にかんがみ、使用者の手を煩わせることなく、かつ、正確に、取得した情報あるいは記憶部に記憶されている情報を他の機能でも用いることができるようにする情報処理端末および情報処理方法を提供することを目的とする。
【０００９】
【課題を解決するための手段】
上記課題を解決するため、請求項１に記載の発明の情報処理端末は、
予定日時および予定の内容に関する情報からなる予定表情報を記憶する第１の記憶部と、
人名と、その人に関する情報とを記憶する第２の記憶部と、
前記第２の記憶部に記憶されている情報を読み出して、前記人名と、前記その人に関する情報のリストを表示素子に表示するリスト表示モードを生成するモード管理手段と、
前記リスト表示モードにおいて、前記リストから１または複数人の選択指定入力と、予定日時の入力を受け付ける予定入力受付手段と、
予め決められた所定の操作がされたときに、前記予定入力受付手段で受け付けられた前記予定日時と、前記選択指定された１または複数人の前記人名とを少なくとも含む予定表情報を形成し、この形成した予定表情報を前記第１の記憶部に書き込む予定表情報書き込み手段と
を備えることを特徴とする。
【００１０】
この請求項１に記載の情報処理端末によれば、モード管理手段により、第２の記憶部に記憶されている情報を読み出し、人名と、その人に関する情報のリストを表示するリスト表示モードなどの各種のモードが生成される。
【００１１】
そして、リスト表示モードのときに、予定入力受付手段を通じて、第２の記憶部に記憶されている情報の選択指定入力と予定日時入力が受け付けられ、所定の操作がされると、予定表情報書き込み手段により、少なくとも、予定日時と、選択指定された人名とを含む予定表情報が形成され、これが第１の記憶部に書き込まれる。
【００１２】
これにより、いわゆるスケジュール管理機能を用いて予定表情報を入力（書き写す）ことなく、入力された予定日時と、表示中の人名などの情報に基づいて予定表情報を形成し、これを第１の記憶部に書き込むことができるようにされる。したがって、使用者の手を煩わせることなく、しかも正確に予定表情報を形成し、これを第１の記憶部に記憶し、利用可能にすることができるようにされる。
【００１３】
また、請求項３に記載の発明の情報処理端末は、
予定日時および予定の内容に関する情報からなる予定表情報を記憶する記憶部と、
ネットワークを通じて情報の提供を受け付けるための通信手段と、
前記通信手段を通じて提供を受けた提供情報を表示素子に表示する提供情報表示モードを生成するモード管理手段と、
前記提供情報表示モードにおいて、前記提供情報により提供されるサービスなどの利用対象の利用予定日時の入力を受け付ける予定日時入力受付手段と、
予め決められた所定の操作がされたときに、前記予定日時入力受付手段で受け付けられた、前記利用予定日時と、前記提供情報から抽出された前記利用対象を示す情報とを含む予定表情報を形成し、この形成した予定表情報を前記記憶部に書き込む予定表情報書き込み手段と
を備えることを特徴とする。
【００１４】
この請求項３に記載の情報処理端末によれば、モード管理手段により、ネットワークおよび通信手段を通じて提供を受けた提供情報の表示モードのときに、予定入力受付手段を通じて、予定日時が入力され、予め決められた所定の操作が行われると、予定表情報書き込み手段により、予定日時と、提供情報から抽出された前記利用対象を示す情報とを含む予定表情報が形成され、これが第１の記憶部に書き込まれる。
【００１５】
これにより、いわゆるスケジュール管理機能を用いて予定表情報を入力（書き写す）ことなく、入力された予定日時と、表示中の提供情報から抽出される情報とから予定表情報を形成し、予定表情報を記憶する記憶部に書き込むことができる。この場合においても、使用者の手を煩わせることなく、しかも正確に予定表情報を形成し、これを記憶部に記録して、利用可能にすることができるようにされる。
【００１９】
【発明の実施の形態】
以下、この発明による情報処理端末、情報処理方法の一実施の形態を、図を参照しながら説明する。
【００２０】
この実施の形態の情報処理端末は、この発明が適用されたものであり、携帯無線通信端末の構成とされ、携帯電話機能を備えたものである。また、この実施の形態の情報処理端末は、契約関係にある共通サーバ装置とネットワークを通じて接続されて、この共通サーバ装置とが協働することにより、情報提供サービスの提供を受けたり、ファクシミリ通信、電子メール通信を行うことができるようにされたものである。
【００２１】
さらに、この実施の形態の情報処理端末は、予定表情報を記憶し、これを管理することができるいわゆるスケジュール管理機能や、多数の相手先の名前、電話番号、ファクシミリ番号、電子メールアドレスなどを記憶し、これを管理することができるいわゆる電話帳機能をも備えるものである。
【００２２】
そして、この実施の形態の携帯電話端末は、共通サーバ装置と協働することにより提供を受けることができる情報提供サービスを利用して、共通サーバ装置やネットワークを通じて取得した情報をスケジュール管理機能により利用可能にされる予定表情報や、電話帳機能より利用可能にされる電話帳情報に反映させたり、さらには、電話帳情報を前述の予定表情報に反映させるなどのことを使用者の手を煩わせることなく行うことができるようにされたものである。
【００２３】
［ネットワークシステムの説明］
図１は、この発明の実施の形態が適用された通信ネットワークシステムの概念構成を説明するための図であり、この図１において、１は共通サーバ装置と契約関係があるこの発明による情報処理端末が適用された携帯無線通信端末、２は共通サーバ装置である。複数個の携帯情報通信端末１と、共通の共通サーバ装置２とは、携帯無線通信端末用のネットワーク３と、このネットワーク３に対して、１〜複数個のアクセスポイント４を通じて接続される専用基幹ネットワーク５を通じて接続される。
【００２４】
携帯無線通信端末用ネットワーク３には、共通サーバ装置２と契約関係にない他の携帯無線通信端末も接続されるが、後述するような共通サーバ装置２からのデータ通信サービスを受けることができる携帯無線通信端末は、予め、この共通サーバ装置２と契約関係が結ばれた携帯情報通信端末１のみである。共通サーバ装置２との契約関係がない携帯無線通信端末との混同を避けるため、以下の説明においては、共通サーバ装置２と契約関係にある携帯情報通信端末を会員端末と呼ぶことにする。
【００２５】
複数個の会員端末１および他の同種の携帯無線通信端末のそれぞれは、例えば電波の届く範囲を考慮した所定のエリア単位に設けられる無線基地局６に対して無線接続される。無線基地局６同志の間の接続など、携帯無線通信端末用のネットワーク３では、例えば光ケーブルが用いられる。
【００２６】
専用基幹ネットワーク５に対しては、このネットワーク５を管理するネットワーク管理サーバ装置７が接続される。このネットワーク管理サーバ装置７は、共通サーバ装置２と会員端末１との間の、いわゆるルーティングを管理する。したがって、ネットワーク管理サーバ装置７でのルーティング管理上から見たときには、共通サーバ装置２は、専用基幹ネットワーク５に接続される端末装置の一つとして位置づけることができる。なお、この場合、このネットワーク管理サーバ装置７は、インターネット８に対しても接続される。
【００２７】
そして、この実施の形態においては、ネットワーク管理サーバ装置７は、共通サーバ装置２に対して直接的にも接続され、会員端末１からの共通サーバ装置２へのアクセス履歴などを、ネットワーク管理サーバ装置７から共通サーバ装置２に送るように構成されている。すなわち、この実施の形態では、会員端末１の課金ログ収集などの会員総合管理は、共通サーバ装置２が行うように構成している。
【００２８】
つまり、この実施の形態の場合、会員端末１は、共通サーバ装置２と契約関係があるのであって、ネットワーク管理サーバ装置７と契約関係にあるのではない。そして、共通サーバ装置２は、会員端末１のネットワーク接続上の管理をネットワーク管理サーバ装置７に委託するものであって、共通サーバ装置２とネットワーク管理サーバ装置７との間にも契約関係がある。したがって、共通サーバ装置２は、他の専用基幹ネットワークおよびそのネットワーク管理サーバ装置とも、前述の専用基幹ネットワーク５およびそのネットワーク管理サーバ装置７と全く同様の関係を持って接続されることが可能である。
【００２９】
この実施の形態の場合、共通サーバ装置２から見たときには、個々の会員端末１に対しては、特定の専用基幹ネットワークを割り当てて、各会員端末１からの共通サーバ装置２へのアクセスは、必ず、その会員端末用に割り当てた専用基幹ネットワークを通るように管理するのであるが、会員端末１から見た場合には、共通サーバ装置２とネットワーク管理サーバ装置７との間の契約関係は全く無関係であるので、会員端末１は、単に共通サーバ装置２だけにアクセスして共通サーバ装置２だけにより管理されているようになる。
【００３０】
このようなネットワーク管理構成によれば、例えば、共通サーバ装置２に個々のネットワーク管理サーバ装置７が備えるサービス機能をすべて持たせるようにすることにより、会員端末１の使用者は、各個のネットワーク管理サーバ装置７が備える種々のサービスを受けるために、個々のネットワーク管理サーバ装置７に対して契約するのではなく、共通サーバ装置２と契約関係を生じさせるだけで、この共通サーバ装置２が持つ種々のサービスを受けられるようになり、非常に便利である。
【００３１】
そして、共通サーバ装置２は、公衆回線網９に接続され、後述するように、会員端末１が、この公衆回線網９に接続されるファクシミリ端末やパーソナルコンピュータなどの通信端末１０との間で通信データの送受を行うことができるようにするための機能を備えている。
【００３２】
さらに、この実施の形態においては、共通サーバ装置２は、会員端末１に対して、情報提供サービスを行うために、提供情報のデータベースの一部となる記憶部を備える。また、共通サーバ装置２は、コンテンツ提供装置１１と接続されており、このコンテンツ提供装置１１から、会員への提供情報のデータベースの一部となる情報を取得して、会員端末１に提供するようにする。
【００３３】
コンテンツ提供装置１１は、それぞれ固有の提供情報を有する提供会社が備えるもので、共通サーバ装置２を有するサービス会社との契約により、共通サーバ装置２を通じて会員端末１に、その情報を提供するものである。図１では、コンテンツ提供装置１１は、１個だけ示したが、複数個のコンテンツ提供装置１１が共通サーバ装置２に接続される場合もある。
【００３４】
また、共通サーバ装置２とコンテンツ提供装置１１との接続態様は、専用線を通じて接続される場合と、インターネットなどのネットワークを通じて接続される場合とがある。
【００３５】
この実施の形態の場合、これら専用線やネットワークを通じて共通サーバ装置２に接続されるコンテンツ提供装置１１からの情報は、共通サーバ装置２が、会員端末１から、そのサービス提供要求があったときに、前記コンテンツ提供装置１１にアクセスして取得し、要求してきた会員端末１に提供するようにする。
【００３６】
コンテンツ提供装置１１からの情報を、随時、取得して、共通サーバ装置２の内蔵メモリ部に格納して、その内蔵メモリ部の記憶内容を最新にしておくことも考えられるが、コンテンツ提供装置１１が多数になり、提供情報が多量になると共通サーバ装置２のメモリ部を大規模にしなければならなくなるという問題がある。
【００３７】
これに対して、この実施の形態のように、会員端末１からの要求があったときに、その要求のあった情報のみをコンテンツ提供装置１１から共通サーバ装置２が取得して会員端末１に提供するようにすれば、共通サーバ装置２のメモリ部の規模は大規模にならない。また、コンテンツ提供装置１１が備える情報が常時更新されていれば、共通サーバ装置２は、単に、コンテンツ提供装置１１から情報を取得するだけで、常に最新の情報を会員端末１に提供することができる。
【００３８】
そして、この実施の形態では、共通サーバ装置２が、１〜複数個のコンテンツ提供装置１１に接続されていて、これらのコンテンツ提供装置１１からの情報を集中的に集めて、会員端末１に提供する構成であるので、会員端末１では、それぞれのコンテンツ提供装置１１に対して契約したりする必要はなく、また、複数個のコンテンツ提供装置１１からの情報の形式などに関係なく、共通サーバ装置２から必要な情報を受け取ることができる。
【００３９】
なお、固有の提供情報を有する提供会社によるコンテンツの共通サーバ装置２への提供方法としては、上述のように専用線やネットワークを通じて接続して共通サーバ装置２に提供するのではなく、コンテンツ提供会社がＣＤ−ＲＯＭなどの記録媒体を共通サーバ装置２に提供して、共通サーバ装置２の記憶部に記憶させておくようにする態様もある。
【００４０】
この実施の形態においては、携帯無線通信端末１の使用者と、共通サーバ装置２の所有会社との契約が行われると、前述したように、携帯無線通信端末１は会員端末１となる。例えば、会員端末１を使用者が購入することが、共通サーバ装置２に対する契約関係の発生とするようにすることができる。
【００４１】
すなわち、携帯無線通信端末を会員端末１として使用者が購入するときに、その会員端末１には、前述したように、各端末ごとの特定の専用基幹ネットワークを通じた共通サーバ装置２のアドレス情報が予め与えられ、不揮発性メモリに格納される。また、この不揮発性メモリには、会員端末であることを示すと共に、会員端末の使用者を識別するための会員番号などの会員ＩＤやパスワードなどの識別情報（会員識別情報）も格納される。
【００４２】
ただし、この共通サーバ装置２のアドレス情報や会員識別情報の会員端末１への書き込み登録は、会員端末１の購入時に、端末販売員や購入者が行ってもよいが、予め、会員端末１に登録しておくとよい。その場合には、アドレスを入力する操作が全く不要となるので、使用者には共通サーバ装置を意識させずに、会員端末１を利用させるようにすることができる。
【００４３】
そして、後述もするように、会員端末１で、共通サーバ装置２の情報提供サービスを受けるとき、また、会員端末１で、ファクシミリ通信や電子メール通信の処理が開始されるとき、それに先立ち、前記の予め記憶されているアドレス情報および会員識別情報を用いて、会員端末１は、自動的に共通サーバ装置２に接続する処理を実行するものである。
【００４４】
この実施の形態においては、会員端末１は、携帯性に優れ、何時、どこからでも、共通サーバ装置２にアクセスするだけで、種々の情報提供サービスの提供を受けることができる。
【００４５】
また、会員端末１は、この実施の形態では、そのファクシミリ通信や電子メール通信の機能およびその関連機能を、共通サーバ装置２と協働することにより、実現する。すなわち、会員端末１は、これら通信のための大容量のメモリを有しない。その代わりに、共通サーバ装置２が、各会員端末１の受信データ用のメモリあるいはメモリエリアを備える。
【００４６】
また、会員端末１は、必要最小限の処理のためのアプリケーション（マイクロコンピュータのソフトウエア）、例えば表示アプリケーションのためのアプリケーションを除き、種々の機能を実現するためのアプリケーションを、共通サーバ装置２に委ねるようにしている。
【００４７】
すなわち、会員端末１において、使用者が、目的とする機能を得るための要求に相当する、例えばキー操作を行うと、その要求が共通サーバ装置２に送られ、共通サーバ装置２で当該機能のアプリケーションが実行される。そして、そのアプリケーションでの処理結果が、会員端末１に送られてくる。
【００４８】
以上が、この発明の実施の形態の構成の概要であるが、より具体的な構成について以下に説明する。
【００４９】
図２は、上述した図１の通信ネットワークシステムの概念構成を、より具体化したものである。この場合、会員端末１は、携帯電話端末と、データ通信機能を備えるＰＤＡ（パーソナル・デジタル・アシスタンツ）との複合機の構成を有し、携帯電話機能のほかに、後述するように、ファクシミリ通信機能、電子メール通信機能を備えると共に、共通サーバ装置２からの情報提供サービスを受ける機能を備えている。
【００５０】
無線基地局６が接続される携帯無線通信端末用のネットワーク３は、この例では、ＰＨＳ／ＩＳＤＮ網３ｎである。したがって、会員端末１は、無線基地局６−ＰＨＳ／ＩＳＤＮ網３ｎ−無線基地局６を通じて、他の会員端末１または会員以外のＰＨＳ端末などと電話通信ができると共に、無線基地局６−ＰＨＳ／ＩＳＤＮ網３ｎを通じて一般加入電話端末と電話通信ができる。
【００５１】
専用基幹ネットワーク５は、この例では、ＩＳＰ（インターネット・サービス・プロバイダー）が管理するネットワークとされる。すなわち、５Ｎは、そのＩＳＰバックボーン、つまり、ＬＡＮなどのネットワークであり、このＩＳＰバックボーン５ＮとＰＨＳ／ＩＳＤＮ網３ｎとは、ＰＨＳ用の３２ｋビット／秒の伝送速度の業界標準方式であるＰＩＡＦＳ（ＰＨＳ  Ｉｎｔｅｒｎｅｔ  Ａｃｃｅｓｓ  Ｆｏｒｕｍ  Ｓｔａｎｄａｒｄ）用のアクセスポイント４Ｐを通じて接続されている。
【００５２】
また、５ＲはこのＩＳＰ用のルータであり、これを介して、ＩＳＰバックボーン５Ｎと、ネットワーク管理サーバ装置７に対応するＩＳＰサーバ装置７Ｉと、共通サーバ装置２とが接続される。
【００５３】
ＩＳＰサーバ装置７Ｉは、共通サーバ装置２側の委託により、前述したように、会員端末１からのアクセスがあったときに、その認証をとる。すなわち、ＩＳＰサーバ装置７Ｉには、このＩＳＰサーバ装置７Ｉを経由して共通サーバ装置２にアクセスする会員端末１の会員識別情報、例えば会員番号などの会員ＩＤやパスワードなどが予め登録されており、ＩＳＰサーバ装置７Ｉは、当該ＩＳＰバックボーン５Ｎに接続された端末に対するアクセスがあったときに、そのアクセスをしてきた端末が、当該ＩＳＰバックボーン５Ｎを通じて共通サーバ装置２に接続すべき会員端末１であるか否かの認証を行い、会員端末１であれば、そのアクセスをルータ５Ｒを通じて共通サーバ装置２に着信させる。
【００５４】
そして、ＩＳＰサーバ装置７Ｉは、当該会員端末１のアクセスの履歴（ログ）を共通サーバ装置２に送る。共通サーバ装置２は、１〜複数のＩＳＰサーバ装置７Ｉからの複数個の会員端末のそれぞれのアクセスの履歴の情報を受け取って、それぞれの会員端末への課金などを総合的に管理する。
【００５５】
コンテンツ提供装置１１は、この例では、インターネット８を通じて共通サーバ装置２に接続され、共通サーバ装置２が必要なときに、このコンテンツ提供装置１１から提供すべき情報をインターネット８を通じて取得して、会員端末１に提供するようにする。なお、前述もしたように、コンテンツ提供装置１１は、インターネット８を通じてではなく、専用線を通じて共通サーバ装置２と接続するようにすることもできる。また、ＩＳＰサーバ装置７Ｉもコンテンツ提供装置となることもできる。
【００５６】
［共通サーバ装置２の構成］
図３は、共通サーバ装置２の一実施の形態の構成を示すブロック図である。この図３に示すように、共通サーバ装置２は、マスターサーバ２１と、メールサーバ２２と、ファクシミリサーバ２３と、着信通知サーバ２４と、ＨＴＴＰ（Ｈｙｐｅｒ  Ｔｅｘｔ  Ｔｒａｎｓｆｅｒ  Ｐｒｏｔｏｃｏｌ）Ｄサーバ２５と、コンテンツサーバ２６と、コンテンツ用Ｐｒｏｘｙサーバ２７とが、ＬＡＮ（ローカルエリアネットワーク）により接続されて構成されている。また、このＬＡＮはインターネット８とも接続されている。
【００５７】
マスターサーバ２１は、会員データの管理、コンテンツオプション等の申し込み、解約処理やネットワーク全体の管理メンテナンスを行う。マスターサーバ２１は、会員ＩＤやパスワードなどの会員識別情報を含む会員データ（ユーザ情報）などを記憶するメモリ２１Ｍを備える。
【００５８】
メールサーバ２２は、主としてメールサービスの管理・運用を行うものであり、ＰＯＰ（Ｐｏｓｔ  Ｏｆｆｉｃｅ  Ｐｒｏｔｏｃｏｌ）またはＩＭＡＰ（Ｉｎｔｅｒｎｅｔ  Ｍｅｓｓａｇｅ  Ａｃｃｅｓｓ  Ｐｒｏｔｏｃｏｌ）サーバ機能を実装しており、会員端末１とのインターフェース処理を行う。そして、メールサーバ２２は、会員端末用のメールボックスと呼ばれるメモリ２２Ｍを備える。メールボックス２２Ｍは、各会員端末１のそれぞれ毎に区分けされたメモリエリアを備え、各会員端末宛ての電子メールの受信データを、各会員端末毎に蓄える。
【００５９】
なお、この実施の形態では、後述するように、ある会員端末から他の会員端末宛てに送信された、イメージデータ（画像データ）を含まないテキストデータ形式のファクシミリデータも、このメールボックス２２Ｍの前記他の会員端末用のメモリエリアに、電子メールデータとして蓄えられる。
【００６０】
ファクシミリサーバ２３は、ファクシミリ通信機能のアプリケーションを実行する。会員端末１とのインターフェース用にメールサーバ機能を実装し、また、Ｇ３ファクシミリ用のＰＳＴＮ（公衆交換電話網）通信回線機能も実装し、ＩＳＤＮ網９に接続されている。また、ファクシミリデータとしての画像データを記憶するファクシミリボックス（以下ＦＡＸボックスという）と呼ばれるメモリ２３Ｍを備える。ＦＡＸボックス２３Ｍも、各会員端末毎に区分けされたメモリエリアを備え、各会員端末宛ての、イメージデータを含むファクシミリ受信データを各会員端末１毎に蓄える。
【００６１】
着信通知サーバ２４は、電子メールやファクシミリの着信が会員端末宛てにあった場合に、ＩＳＤＮ回線（ＩＳＤＮ網９）を通じて、その着信を各会員端末１に通知するためのものである。
【００６２】
ＨＴＴＰＤサーバ２５は、会員端末１とのインターフェースを制御する。会員端末１が、この共通サーバ装置２に接続されている場合のすべての処理は、このサーバ２５を経由して各機能サーバに接続される。
【００６３】
コンテンツサーバ２６は、共通サーバ装置２が提供するコンテンツ情報処理用のサーバである。このサーバ２６は、提供するコンテンツ情報用として、２つの情報格納用メモリ２６Ａ，２６Ｂを備える。その一つのメモリ２６Ａは、予めこのサーバ２６内に提供する情報を保持するためのものである。もう一つのメモリ２６Ｂは、この共通サーバ装置２内には、提供する情報を保持せず、利用時に、図２の実施の形態では、インターネット８経由でコンテンツ提供装置１１から取得したデータを一時的に格納するためのものである。
【００６４】
コンテンツ用Ｐｒｏｘｙサーバ２７は、コンテンツデータを、インターネット８を経由して、外部のコンテンツ提供装置１１から取得するために使用される。Ｐｒｏｘｙサーバ２７は、図示しないファイアウォールと共に機能させることによって、外部からの不正なアクセスを防御しながら、ファイアウォールの内側から自由に外部にアクセスできる環境を作っている。
【００６５】
［会員端末１について］
次に、会員端末１について説明する。図４は、会員端末１の外観の一例であり、また、図５は、この会員端末１の内部回路構成の一例である。前述もしたように、この例の会員端末１は、携帯電話機能と、ファクシミリ通信および電子メール通信、情報提供サービスを受けるデータ通信機能を備える複合端末の構成を有するものである。
【００６６】
この実施の形態の会員端末１は、図４（Ａ）および図４（Ｂ）に示すように、端末本体１００に対して開閉可能の蓋１０１を備え、この蓋１０１を閉じた図４（Ａ）の状態では、携帯電話端末として動作する電話モードになり、蓋１０１を開いた図４（Ｂ）の状態では、ファクシミリ通信機能と、電子メール通信機能と、情報提供サービス受信機能とを得ることができるデータ通信モードになる。このモード切り換えのために、図示しないが、蓋１０１の開閉を検知するセンサが設けられている。
【００６７】
このセンサとしては、例えば蓋１０１の内側に突起を設けると共に、これと対応する本体１００側の位置に押圧スイッチを設け、蓋１０１の前記突起により、機械的に本体１００側の押圧スイッチを押圧する機械的なセンサを用いる。
【００６８】
また、蓋１０１と本体１００との一方に、磁石を設け、他方に感磁性素子からなるスイッチを設ける構成のセンサスイッチを用いるようにしてもよい。
【００６９】
蓋１０１の表側には、図４（Ａ）に示すように、電話用（ダイヤル用）のテンキー１０２が設けられている。１０３は、ＰＨＳ用のアンテナである。
【００７０】
そして、会員端末１は、図４（Ｂ）に示すように、蓋１０１を開けた状態のときに現れる本体１００側の面に、大型のＬＣＤ（液晶ディスプレイ）１０５を備え、このＬＣＤ１０５の表示面に、通信文、機能一覧メニュー、提供情報一覧リスト、受信ファクシミリリストや受信電子メールリストなどを表示することができる。メニューやリストが一画面で表示できないときには、画面をスクロールしたり、次ページに切り換えることで全部が表示できるようにされている。
【００７１】
蓋１０１を閉じた図４（Ａ）の状態では、例えば透明プラスチック板などからなるＬＣＤ窓１０４を通じてＬＣＤ１０５の表示面が臨めるようにされる。この場合、蓋１０１を閉じた状態では、ＬＣＤ表示窓１０４から臨める部分だけに表示が行われるように、ＬＣＤ１０５が表示制御されている。
【００７２】
この実施の形態の会員端末１においては、ＬＣＤ１０５の表面には透明のタッチパネル１０６が貼付されており、蓋１０１の裏側に、図４（Ｂ）のように取り外し自在に取り付けられているペン１０７によるタッチ操作や、手書き文字入力を受け付ける機能を備えるようにしている。
【００７３】
また、蓋１０１の裏側には、メニューキーＫ１、オンライン接続キーＫ２、機能キーＫ３、…などの複数個のキー釦１０８が、ダイレクトキーとして設けられている。さらに、ＬＣＤ１０５の右横には、回動キーと押しボタンキーとの２つの機能を合わせ持つジョグダイヤルキー１０９が設けられる。このジョグダイヤルキー１０９を回動キーとして回動操作したときには、例えばメニューなどにおける項目選択動作が行え、また、押しボタンキーとして押下操作したときには、選択された項目の決定入力を意味するものとして扱われる。
【００７４】
次に、図５の会員端末１の回路ブロックについて説明する。
この例の会員端末１は、大きく分けて、通信機能部１１０と、制御部１２０とからなる。
【００７５】
通信機能部１１０は、アンテナ１１１と、ＲＦ処理部１１２と、送受信データ処理部１１３と、マイクロホンアンプ１１４と、スピーカアンプ１１５と、マイクロホン１００ＭＣと、スピーカ１００ＳＰとからなる。
【００７６】
制御部１２０は、マイクロコンピュータにより構成されており、ＣＰＵで構成されるシステムコントロール部１２１と、ＲＯＭ１２２と、ＤＲＡＭ１２３と、書き換え可能な不揮発性メモリとしてのフラッシュメモリ１２４とを備えている。
【００７７】
システムコントロール部１２１には、蓋１０１の開閉に応じてオン・オフするスイッチＳＷが接続されており、このスイッチＳＷのオン・オフにより、蓋１０１が開状態か、閉状態かをシステムコントロール部１２１は検知し、蓋１０１が閉状態のときには、当該会員端末１を電話用端末として制御する。また、蓋１０１が開状態のときには、当該会員端末１を情報通信端末や、ファクシミリ通信用端末あるいはメール通信用端末として制御する。
【００７８】
システムコントロール部１２１には、また、テンキー１０２のキースイッチ群や、蓋１０１の裏側に設けられたキー釦１０８のスイッチ群の状態を示す情報が入力されるようにされており、システムコントロール部１２１は、使用者によりキー操作がなされたとき、それがテンキー１０２やキー釦１０８のいずれかであるかを検知し、その検知したキーに応じた処理を実行するようにする。
【００７９】
また、システムコントロール部１２１には、ＬＣＤドライバ１２５が接続され、後述するＲＯＭ１２２のプログラムおよび表示データを用いてＬＣＤ１０５に、共通サーバ装置２から提供された情報を表示したり、その他の表示画像を表示するようにする。
【００８０】
また、システムコントロール部１２１には、使用者への、電話の着信通知や、ファクシミリおよびメールの着信通知などのためのブザー１２７やＬＥＤ（発光ダイオード）１２６が接続されている。
【００８１】
ＲＯＭ１２２には、共通サーバ装置２との接続のためのシーケンスを制御するプログラムや、ＰＨＳ電話通信のための制御プログラム、情報提供サービスを受けるための制御プログラム、ファクシミリ送信のための制御プログラム、メール送信のための制御プログラム、ファクシミリデータやメールデータを受信するための制御プログラムなどの会員端末１での通信のために最低限必要な通信アプリケーションプログラムと、ＬＣＤ１０５を表示制御するプログラムやメニューなどの表示データ、その他が記憶されている。
【００８２】
ＤＲＡＭ１２３は、後述するように、共通サーバ装置２から取得した受信データを一時的に蓄えたり、その他、ワークエリアとして使用するメモリを領域を備えるものである。
【００８３】
フラッシュメモリ１２４には、前述したように、共通サーバ装置２に対してＩＳＰサーバ装置７Ｉを通じて会員端末１から自動接続するためのネットワーク上のアドレス情報が予め格納されている。また、このフラッシュメモリ１２４には、当該会員端末１が共通サーバ装置２と契約関係のある端末であって、ファクシミリ通信サービスや電子メールサービス、また、情報提供サービスを共通サーバ装置２から受けることができる端末であることを示すと共に、各会員端末の使用者を識別するための会員ＩＤやパスワードなどの会員識別情報も記憶されている。
【００８４】
この会員識別情報などの会員に関する情報は、前述もしたように、共通サーバ装置２のメインサーバ２１にも記憶されて共通サーバ装置２においても管理されている。また、ＩＳＰサーバ装置７Ｉも、この会員識別情報により、アクセスしてきたのが会員であるか否かの認証を行うものである。
【００８５】
さらに、フラッシュメモリ１２４には、前述したスケジュール管理機能により利用可能にされる予定表情報や、電話帳機能により利用可能にされる電話帳情報などの各種の機能を用いて使用者により利用される各種の情報も記憶される。また、フラッシュメモリ１２４には、ＤＲＡＭ１２３に一時的に蓄えた受信データの内の、特に保存しておきたいデータを格納する領域などをも備えている。
【００８６】
以上のような構成を備える会員端末１の動作を、関連する共通サーバ装置の動作も含めて、以下に説明する。
【００８７】
［携帯電話モード］
まず、携帯電話モードについて説明する。蓋１０１を閉じた状態で、テンキー１０２を用いて、相手方の電話番号をダイヤル入力すると、発呼がなされる。また、蓋１０１を閉じた状態で、携帯電話端末としての当該会員端末１に電話の着信があると、それがブザー１２７により使用者に知らされ、使用者が応答すると、その電話着信を受けることができ、通話状態になる。
【００８８】
なお、蓋１０１を開いた状態で電話着信があったときには、本体１００側に設けられている図示しない通話キーを押すことにより、いつでも通話が可能である。ただし、通話は、蓋１０１を閉じた状態で行うようにする。
【００８９】
そして、会員端末１は、このＰＨＳ電話通話時には、システムコントロール部１２１からの制御を送受信データ処理部１１３が受けながら、送話信号を送信し、また、受話信号を受信する。
【００９０】
すなわち、マイクロホン１００ＭＣからの音声信号がアンプ１１４を介して送受信データ処理部１１３に供給されて送信データに変換され、ＲＦ処理部１１２を通じ、アンテナ１１１を通じて無線基地局６に対して送信されると共に、無線基地局６よりの相手側からの通話音声のデータがアンテナ１１１で受信され、その受信データが送受信データ処理部１１３で処理されて、相手の通話音声信号が復元され、それがアンプ１１５を通じてスピーカ１００ＳＰに供給されて放音される。
【００９１】
［データ通信モードについて］
次に、データ通信モードについて説明する。前述したように、蓋１０１が本体１００に対して開かれているときには、会員端末１は、データ通信モードになる。このデータ通信モードにおいては、ファクシミリ機能、電子メール機能、ＷＷＷブラウザ機能、メモ機能などを会員端末１では、実現できるように構成されている。また、このデータ通信モード時において、いわゆるスケジュール管理機能を動作させて、予定表情報の入力、表示、修正を行ったり、電話帳機能を動作させて、電話帳情報の入力、表示修正などを行うことができるようにされている。
【００９２】
これらの機能の一覧メニューは、キー釦１０８の内のメニューキーを操作することにより、ＬＣＤ１０５の画面上に表示される。そして、使用者が、このＬＣＤ１０５の画面に表示される機能一覧メニューから、ジョグダイヤルキー１０９の回動操作および押下操作により希望する機能を選択して、決定することにより、会員端末１は、その機能を実行するモードの状態になる。
【００９３】
この実施の形態の会員端末１において、ファクシミリデータの送信および受信をする場合、また、電子メールの送信および受信をする場合は、すべて共通サーバ装置２を介して処理される。
【００９４】
そして、会員端末１と共通サーバ装置２との間でのデータのやり取りにおいては、ファクシミリ通信方式としての既定の通信方式に関係なく、すべてネットワーク３およびネットワーク５に適合する通信方式によって行うようにする。すなわち、この実施の形態の場合には、ファクシミリデータと電子メールデータとは、インターネットで電子メールを転送するのに用いられる標準的な手順であるＳＭＴＰ（Ｓｉｍｐｌｅ  Ｍａｉｌ  Ｔｒａｎｓｆｅｒ  Ｐｒｏｔｏｃｏｌ）を用い、また、ＷＷＷブラウザ機能における共通サーバ装置２からの提供情報は、ＨＴＴＰ（Ｈｙｐｅｒ  Ｔｅｘｔ  Ｔｒａｎｓｆｅｒ  Ｐｒｏｔｏｃｏｌ）を用い、ＰＨＳ網を利用したＰＩＡＦＳ方式により、会員端末１と共通サーバ装置２との間で送信データおよび受信データをやり取りする。
【００９５】
この場合、会員端末１においては、送信データは、前述にもしたように、ＤＲＡＭ１２３に一時格納され、送信実行によりシステムコントロール部１２１により読み出されて、前述の通信プロトコルおよびデータ形式で、送受信データ処理部１１３、ＲＦ処理部１１２、アンテナ１１１を順次介して無線送信される。
【００９６】
また、共通サーバ装置２からの受信データは、アンテナ１１１で受信され、ＲＦ処理部１１２、送受信データ処理部１１３を通じて、システムコントロール部１２１によりＤＲＡＭ１２３に一時格納される。そして、システムコントロール部１２１の制御により、ＬＣＤドライバ１２５を通じてＬＣＤ１０５に表示データとして送られ、受信データによる表示内容が表示される。
【００９７】
メモ機能には、ペン１０７とタッチパネル１０６とを用いて入力を行う「手書きメモ」と、ＬＣＤ１０５の画面にキーボードを表示して、その表示キーボードを利用して文書を作成する「タイプメモ」とがある。そして、手書きメモとタイプメモのいずれの場合も、作成したイメージまたは文書をファクシミリデータとして送信できるように構成されている。
【００９８】
すなわち、手書きメモまたはタイプメモのいずれのモードの場合においても、ＬＣＤ１０５の画面上には、「ＦＡＸ送信（ファクシミリ送信）」のアイコンを含むメニューバーが表示され、この「ＦＡＸ送信」のアイコンが例えばペンで選択されると、送信すべき相手方端末の電話番号や、ファクシミリタイトルなどの入力モード画面になる。そして、相手方端末の電話番号やタイトルの入力後、このモードのときに表示されている「送信」のアイコンを選択すると、手書きメモあるいはタイプメモで作成されたイメージまたは文書がファクシミリデータとして送信される。
【００９９】
この場合、会員端末１は、フラッシュメモリ１２４に記憶されている会員識別情報、接続情報を用いて接続要求を生成し、これを送信してすることにより自動的に共通サーバ装置２に接続し、ファクシミリデータを送信する。
【０１００】
ただし、前述したように、この場合にファクシミリデータは電子メールデータとして共通サーバ装置２に送信されるので、イメージデータおよび文書データはファクシミリ通信のビットマップデータではなく、イメージデータは例えばＧＩＦ（Ｇｒａｆｉｃｓ  Ｉｎｔｅｒｃｈａｎｇｅ  Ｆｏｒｍａｔ）形式とされ、また、文書データは、テキストデータ形式とされる。
【０１０１】
そして、宛先が会員以外のときには、共通サーバ装置２が、受け取ったデータを、ビットマップデータに変換して、当該会員以外の端末にファクシミリ送信する処理を実行する。宛先が会員端末１であるときには、共通サーバ装置２は、受け取ったデータを、メールボックス２２ＭあるいはＦＡＸボックス２３Ｍに格納し、各会員端末１に対しては、着信通知サーバ２４を通じて当該会員端末１宛ての着信があったことを通知する。この着信通知は、ファクシミリデータ受信の場合だけでなく、電子メールのデータ受信のときにも行われる。
【０１０２】
ファクシミリ機能が選択されたときに、キー釦１０８のうちのオンライン接続キーＫ２が押されると、その会員端末１は、共通サーバ装置２と接続するための処理を自動的に行う。すなわち、会員端末１は、フラッシュメモリ１２４に予め記憶された会員識別情報、接続情報を用いて、共通サーバ装置２に対する接続要求を生成して送出する。すると、ネットワーク管理サーバであるＩＳＰサーバ７Ｉが当該アクセスしてきた端末が会員端末であるかどうかの認証を行い、会員端末であれば、共通サーバ装置２に接続する処理を行う。
【０１０３】
共通サーバ装置２は、接続された会員端末を認識し、当該会員端末宛てに受信したファクシミリ受信データの一覧リストを作成し、当該会員端末１に送る。したがって、この例では、オンライン接続キーＫ２は、受信情報一覧リストの要求キーの役割も有する。
【０１０４】
会員端末１は、共通サーバ装置２からの、この一覧リストのデータを受信してＤＲＡＭ１２３に一時格納し、その一覧リストをＬＣＤ１０５の画面に表示する。使用者は、ジョグダイヤルキー１０９やペン１０７を用いて、この一覧リストから希望するファクシミリ受信データを選択することができる。希望するファクシミリ受信データの選択がなされ、「取り込み」のアイコンが選択されると、会員端末１は、当該受信データの取得の要求を、共通サーバ装置２に送信する。
【０１０５】
この要求を受けると、共通サーバ装置２は、要求されたファクシミリ受信データを抽出して、電子メールのＳＭＴＰにより会員端末１に送る。会員端末１は、受け取ったデータをＤＲＡＭ１２３に一時格納し、これをＬＣＤ１０５に表示するなどして利用する。
【０１０６】
また、電子メール機能が選択されたときに、キー釦１０８のうちのオンライン接続キーＫ２が押されたときも、ファクシミリ機能が選択されていた場合と同様に、フラッシュメモリ１２４に予め記憶されている会員識別情報、接続情報を用いて、接続要求を生成して送信する。つまり、会員端末１は、共通サーバ装置２と接続するための処理を自動的に行う。そして、共通サーバ装置２では、電子メールの受信データの一覧リストを作成し、当該会員端末１に送る。
【０１０７】
会員端末１は、この一覧リストのデータを受信し、その一覧リストをＬＣＤ１０５の画面に表示する。そして、使用者は、ジョグダイヤルキー１０９やペン１０７を用いて、この一覧リストから提供を希望する電子メールの受信データを選択することができる。提供を希望する電子メールの受信データの選択がなされ、「取り込み」のアイコンが選択されると、会員端末１は、当該電子メールの受信データの取得の要求を、共通サーバ装置２に送信する。
【０１０８】
これを受けて、共通サーバ装置２は、要求された電子メールの受信データを抽出して、ＳＭＴＰにより会員端末１に送る。会員端末１は、受け取ったデータをＤＲＡＭ１２３に一時格納し、これをＬＣＤ１０５に表示するなどして利用する。
【０１０９】
このように、電子メールの受信データの一覧リストからの電子メールの受信データの選択、および、「取り込み」のアイコンの選択を行うことにより、前述したファクシミリ受信データの取り込みの場合と同様に、共通サーバ装置２に保持されている自分宛ての電子メールの受信データを会員端末１のＤＲＡＭ１２３に取り込むことができる。
【０１１０】
また、この実施の形態において、ＬＣＤ１０５の表示画面に表示された機能一覧メニューから、ＷＷＷブラウザ機能が選択されているときは、会員端末１は共通サーバ装置２からの提供情報（コンテンツ情報）を取得して再生することができる情報再生端末として動作することができるようにされる。このとき、共通サーバ装置２と会員端末１との間のデータのやり取りは、ＨＴＴＰ（Ｈｙｐｅｒ  Ｔｅｘｔ  Ｔｒａｎｓｆｅｒ  Ｐｒｏｔｏｃｏｌ）が用いられ、ＰＨＳ網を利用したＰＩＡＦＳ方式により行われる。共通サーバ装置２から提供される情報のデータ形式は、ＨＴＭＬ（Ｈｙｐｅｒ  Ｔｅｘｔ  Ｍａｒｋｕｐ  Ｌａｎｇｕａｇｅ）である。
【０１１１】
そして、ＷＷＷブラウザ機能が選択されたときに、キー釦１０８のうちのオンライン接続キーＫ２が押されたときは、前述したファクシミリ機能、あるいは、電子メール機能が選択されていた場合と同様にして、会員端末１は、フラッシュメモリ１２４に予め記憶されている会員識別情報、接続情報を用いて接続要求を生成して送信し、共通サーバ装置２と接続するための処理を自動的に行う。
【０１１２】
そして、共通サーバ装置２では、共通サーバ装置２が提供可能な情報提供サービスの一覧リストを接続を要求してきた会員端末１に提供する。
【０１１３】
会員端末１は、共通サーバ装置からの情報提供サービスの一覧リストを受信し、これをＬＣＤ１０５の表示画面に表示する。会員端末１の使用者は、ジョグダイヤルキー１０９やペン１０７を用いて、ＬＣＤ１０５の表示画面に表示された情報提供サービスの一覧リストから会員端末１の使用者が提供を希望する共通サーバ装置２が提供可能な情報提供サービスを選択することができるようにされる。
【０１１４】
また、この実施の形態において、情報提供サービスの一覧リストは、共通サーバ装置２のいわゆるホームページとしての機能を有しており、会員端末１の使用者は、この共通サーバ装置２のホームページを経由して、インターネット上に提供されている一般のホームページなどのコンテンツ情報も取得することができるようにされている。
【０１１５】
ＬＣＤ１０５の表示画面に表示された情報提供サービスの一覧リストから希望する情報提供サービスの選択がなされた場合には、選択された情報提供サービスの提供の要求を、共通サーバ装置２に送信する。
【０１１６】
これを受けて、共通サーバ装置２は、共通サーバ装置２が提供可能な情報提供サービスが要求されたときには、要求された情報提供サービスに応じてコンテンツ情報を取得して要求元の会員端末１に送る。この場合、会員端末１は、共通サーバ装置２からのコンテンツ情報を受信し、受信したコンテンツ情報をＤＲＡＭ１２３に一時格納する。
【０１１７】
会員端末１は、要求したコンテンツ情報が、例えば、レストラン情報、宿泊施設情報、地図情報、ニュースなどの各種の表示情報である場合には、これを表示データに変換し、ＬＣＤ１０５に表示する。
【０１１８】
また、共通サーバ装置２から提供を受けたコンテンツ情報が、例えばゲームなどのアプリケーションである場合には、ＤＲＡＭ１２３に一時記憶されたアプリケーションがシステムコントロール部１２１により実行され、当該会員端末１を用いてゲームなどを楽しむことができる。
【０１１９】
また、情報提供サービスの一覧リスト（共通サーバ装置２のホームページ）を介して、インターネット上に提供されているホームページなどのコンテンツ情報のアドレス情報が入力された場合には、会員端末１は、このアドレス情報を含み、このアドレス情報によって特定されるコンテンツ情報の提供要求を共通サーバ装置２に送信する。この場合、アドレス情報は、インターネット上で情報が収めされている格納場所を示すための表記方法である、ＵＲＬ形式で表記されたものである。
【０１２０】
これを受けて、共通サーバ装置２は、会員端末１から要求されたコンテンツ情報を共通サーバ装置２が取得して、要求元の会員端末１に送信するようにしたり、共通サーバ装置２を通じて要求元の会員端末１を目的のホームページにアクセスすることができるようにする。
【０１２１】
このように、会員端末１は、共通サーバ装置２と協働することにより、共通サーバ装置２に蓄積されているコンテンツ情報や、インターネット上に提供されているホームページなど、各種のコンテンツ情報を取得することができるようにされている。
【０１２２】
［取得した情報の予定表情報、電話帳情報としての記録について］
そして、この実施の形態の会員端末１は、前述のＷＷＷブラウザ機能を用いて取得した情報から形成した情報を、スケジュール機能により利用される予定表情報や、電話帳機能により利用される電話帳情報として、使用者の手を煩わせることなく、かつ、正確に記録し、利用することができるようにされている。
【０１２３】
以下においては、ＷＷＷブラウザ機能により取得したレストラン情報などから、予定表情報や電話帳情報を形成し、これをそれぞれの記憶領域に記憶する場合を例にして説明する。
【０１２４】
前述したように、会員端末１において、ＷＷＷブラウザ機能を選択し、オンライン接続キーを押下すると、会員端末１は、共通サーバ装置２と接続する処理を自動的に行う。そして、会員端末１と共通サーバ装置２とが接続されると、共通サーバ装置２は、情報提供サービスの一覧リストを送信してくるので、会員端末１は、この情報提供サービスのに一覧リストをＬＣＤ１０５に表示する。
【０１２５】
そして、ＬＣＤ１０５に表示された情報提供サービスの一覧リストの中から、会員端末１の使用者により、例えばレストラン情報が選択されたときには、会員端末１は、レストラン情報の提供要求を形成して、共通サーバ装置２に送信する。共通サーバ装置２は、会員端末１からの情報の提供要求に応じて、この場合には、レストラン情報を要求元の会員端末１に送信する。
【０１２６】
会員端末１は、この例においては、共通サーバ装置２からのレストラン情報をＤＲＡＭ１２３に一時記憶し、このレストラン情報をＬＣＤ１０５に表示にする。この場合、複数のレストラン情報を順次に提供を受けて、ＬＣＤ１０５に表示することができるようにされる。
【０１２７】
図６は、会員端末１のＬＣＤ１０５に表示されるレストラン情報の一例を説明するための図である。図６に示すように、レストラン情報は、レストラン名、電話番号、地図情報、さらには、図示しないが、料理のメニューや値段などの情報からなるものである。この例においては、図６に示すように、レストラン名欄５１、電話番号欄５２、地図表示欄５３を有し、それぞれの欄に対応する情報が表示される。
【０１２８】
そして、会員端末１の使用者が、共通サーバ装置２から提供を受け、会員端末１のＬＣＤ１０５に表示させたレストラン情報の中から好みのレストランを見つけ、予約を入れたいときには、図６に示す用に、レストラン情報が表示されている画面において、このレストラン情報の表示画面の下端に表示されている予約日時入力欄（図６においてはＴＩＭＥと記載）５４に予約日時（予約年月日および予約時刻）を入力する。
【０１２９】
この後、会員端末１の電子メール機能、ファンクション機能、あるいは、携帯電話機能を用いて、目的とするレストランに予約を入れる。この場合、共通サーバ装置２との間に接続された通信路を接続したまま、共通サーバ装置２を通じて予約を入れるようにすることもできるし、共通サーバ装置２との間に接続された通信路を一旦開放し、共通サーバ装置２から提供を受けたレストラン情報に基づいて、目的とするレストラン宛に、直接電話をかけるなどして予約を入れることもできる。
【０１３０】
この予約時においては、会員端末１は、目的とするレストラン情報をＬＣＤ１０５に表示している状態になっている。すなわち、会員端末１は、提供情報表示モードとなっている。そして、予約成立後、現在ＬＣＤ１０５に表示されている予約したレストランの情報を予約日時と関連付けて、フラッシュメモリ１２４に記憶されている予定表情報に記憶させたい場合には、ＬＣＤ１０５に表示されたソフトウエアキーである予定表キー５６を押下する。
【０１３１】
予定表キー５６が押下されると、会員端末１は、入力された予約日時と、ＬＣＤ１０５に表示されているレストラン情報とから予定表情報を形成し、これをフラッシュメモリ１２４に記憶されている予定表情報の記憶領域に追加記録する。図７は、スケジュール機能を動作させた場合に表示される予定表情報の表示画面の一例を示す図である。図７に示すように、この例の予定表情報の表示画面は、実行されている機能のタイトル表示欄６１、年月日の入力表示欄６２、時刻の入力表示欄６３、予定の内容の入力表示欄６４を有するようにされている。
【０１３２】
そして、図６を用いて前述したように、予約が成立したレストランの情報の表示画面において、予定表キー５６を押下して、予定表情報として記録するようにしたレストラン情報は、入力された予約日時に基づいて、該当する日時の予定の内容の入力表示欄６４に表示される
また、前述したように、共通サーバ装置２から提供されたレストラン情報に基づいて、会員端末１の電子メール機能、ファンクション機能、あるいは、携帯電話機能を用いて、目的とするレストランに予約を入れた後、当該予約したレストランのレストラン名や電話番号をフラッシュメモリ１２４に記憶されている電話帳情報として記録したい場合には、ＬＣＤ１０５に表示されたソフトウエアキーである電話帳キー５５を押下する。
【０１３３】
電話帳キー５５が押下されると、会員端末１は、ＬＣＤ１０５に表示されているレストラン情報うち、レストラン名、電話番号などを、フラッシュメモリ１２４に記憶されている電話帳情報の記憶領域に追加記録する。
【０１３４】
この実施の形態の会員端末１の場合、電話帳情報は、名前や電話番号だけでなく、ファクシミリ番号や電子メールアドレスをも相手先別に管理することができるようにされている。このため、レストラン情報にファクシミリ番号や電子メールアドレスが含まれているときには、これらの情報もフラッシュメモリ１２４の電話帳情報に追加記録され電話帳情報として管理することができるようにされる。
【０１３５】
図８は、電話帳機能を動作させた場合に表示される電話帳情報の表示画面の一例を示す図である。図８に示すように、この例の電話帳情報の表示画面は、実行されている機能のタイトル表示欄７１、相手先の名前の表示欄７２、相手先の電話番号の表示欄７３を有するようにされている。
【０１３６】
そして、電話帳機能を実行したときには、図６に示したレストラン情報の表示画面において、電話帳キー５５を押下することにより、フラッシュメモリ１２４の電話帳情報の記憶領域に追加記録したレストラン名（銀座レストラン）と電話番号（０３−３３３−４４４４）が、図８に示すように表示される。
【０１３７】
このように、この実施の形態に会員端末１は、共通サーバ装置２を通じて取得したレストラン情報に基づいて、スケジュール管理機能で用いられる予定表情報や、電話帳機能で用いられる電話帳情報を形成し、これをそれぞれの記憶領域に記録し、それぞれの機能で用いることができるようにすることができる。すなわち、この実施の形態の会員端末１は、共通サーバ装置２を通じて取得した情報から、予定表情報や電話帳情報を形成し、これを記憶保持するようにすることにより、スケジュール管理機能や電話帳機能により用いることができるようにすることができる。
【０１３８】
［共通サーバ装置から情報の提供を受ける場合の動作］
次に、図９、図１０のフローチャートを参照しながら、ＷＷＷブラウザ機能を用いて、会員端末１が共通サーバ装置２から情報の提供を受ける場合の動作を説明する。
【０１３９】
前述したように、会員端末１がデータ通信モードとされて、ＬＣＤ１０５の表示画面に表示された機能一覧メニューからＷＷＷブラウザ機能が選択されているときに、キー釦１０８のうちのオンライン接続キーＫ２が押されると（手順Ｓ１）、その会員端末１は、共通サーバ装置２と接続するための処理を自動的に行う。
【０１４０】
すなわち、この実施の形態においては、前述したように、予め会員端末１のフラッシュメモリ１２４に記憶されいる自己の会員識別情報と、ＩＳＰサーバ装置７Ｉを通じた共通サーバ装置２への接続のためのアドレスデータとを用いて、共通サーバ装置２との接続を要求する接続要求を生成する（手順Ｓ２）。この接続要求には、会員端末１において選択された機能を識別するための情報なども含まれる。そして、会員端末１は、生成したこの接続要求を共通サーバ装置２に送信する（手順Ｓ３）。
【０１４１】
この接続要求に対して、ネットワーク管理サーバであるＩＳＰサーバ７Ｉが当該アクセスしてきた端末が会員端末であるかどうかの認証を、接続要求に含まれる会員端末であるか否かの会員識別情報を用いて行い（手順Ｓ４）、会員端末であれば、共通サーバ装置２に接続する処理を行う（手順Ｓ５）。
【０１４２】
すると、共通サーバ装置２は、会員端末１からの接続要求を受け取り、接続された会員端末がいずれの会員端末であるかを認識しする（手順Ｓ６）。そして、共通サーバ装置２は、提供可能な情報の一覧リストを作成し（手順Ｓ７）、これを接続要求を送信してきた会員端末１に送信する（手順Ｓ８）。この提供可能な情報の一覧リストには、この実施の形態においては、レストラン情報、宿泊施設情報、地図情報、辞書情報といった表示情報や、将棋、囲碁、チェスなど各種の対戦ゲームアプリケーションも含まれる。
【０１４３】
会員端末１では、共通サーバ装置２からの一覧リストを受信し（手順Ｓ９）、これをＬＣＤ１０５の表示画面に表示する（手順Ｓ１０）。そして、会員端末１は、ＬＣＤ１０５に表示された一覧リストから、提供を受けたい情報を選択する会員端末１の使用者による選択入力を受付ける（手順Ｓ１１）。
【０１４４】
次に、会員端末１は、受け付けた提供を受けたい情報の選択入力に基づいて、情報の提供要求を生成し、これを共通サーバ装置２に送信する（手順Ｓ１２）。例えば、提供を受けたい情報の提供要求が、会員端末１から共通サーバ装置２に送信される。
【０１４５】
共通サーバ装置２は、この会員端末１からの情報の提供要求を受けて（手順Ｓ１３）、要求されている情報を取得する（手順Ｓ１４）。すなわち、共通サーバ装置２は、要求に応じたコンテンツ情報をコンテンツサーバ２６のメモリ２６Ａ、または、外部のコンテンツ情報提供装置から取得する。そして、手順Ｓ１４において取得した情報を要求元の会員端末１に送信する（手順Ｓ１５）。
【０１４６】
そして、会員端末１は、共通サーバ装置２から送信された自己の要求に応じた情報を受信して（手順Ｓ１６）、これをＤＲＡＭ１２３に一時記憶し、これをＬＣＤ１０５に表示するようにする（手順Ｓ１７）。
【０１４７】
そして、この実施の形態の会員端末１の使用者は、会員端末１のＬＣＤ１０５に表示されるソフトウエアキーなどを操作することによって、異なるレストランのレストラン情報を順次に表示し、好みのレストランを検索することができるようにされる。
【０１４８】
［取得した情報の予定表情報、電話帳情報としての記録時の動作］
次に、図９、図１０を用いて前述したように、ＷＷＷブラウザ機能を用いて、会員端末１が提供を受けた情報、この例においてはレストラン情報を利用するとともに、このレストラン情報から予定表情報や電話帳情報を形成して記憶し、スケジュール管理情報や電話帳機能を用いて利用可能にする場合の動作を図１１のフローチャートを参照しながら説明する。
【０１４９】
この実施の形態の会員端末１においては、システムコントロール部１２１は、ＷＷＷブラウザ機能により共通サーバ装置２から取得したレストラン情報を図６に示したように、会員端末１のＬＣＤ１０５に表示した後（ステップＳ２１）、予約日時の入力を受け付け（ステップＳ２２）、前述したように当該好みのレストランに、この会員端末１の携帯電話機能、ファクシミリ機能、電子メール機能を用いて、予約を入れることができるようにされている。
【０１５０】
この場合、前述したように、共通サーバ装置２との間に接続された通信路を接続したまま、共通サーバ装置２を通じて、現在表示中のレストラン情報が示すレストランに対し、例えば、この会員端末１のフラッシュメモリ１２４に記憶されている当該会員端末１の使用者の名前や連絡先など、当該会員端末１の使用者を特定するための情報や予約日時を含むファクシミリ情報や電子メール情報を形成し、これを送信することにより、予約を入れる。
【０１５１】
また、共通サーバ装置２との間に接続された通信路を一旦開放し、共通サーバ装置２から提供を受けたレストラン情報に基づいて、目的とするレストラン宛に、直接電話をかけるなどして予約を入れるなどのこともできる。
【０１５２】
そして、会員端末１は、予約日時が入力されたか否かを判断する（ステップＳ２３）。ステップＳ２３の判断処理において、予約日時が入力されたと判断したときには、システムコントロール部１２１は、図６を用いて前述したように、レストラン情報の表示画面において、予定表キー５６が押下されたか否かを判断する（ステップＳ２４）。
【０１５３】
ステップＳ２４の判断処理において、予定表キー５６が押下されたと判断したときには、システムコントロール部１２１は、現在、ＬＣＤ１０５に表示中のレストラン情報と、入力された予約日時とから、予定表情報を形成し、これをフラッシュメモリ１２４の予定表情報の記憶領域に追加記録する（ステップＳ２５）。
【０１５４】
また、ステップＳ２４の判断処理において、予定表キー５６が押下されていないと判断したときには、電話帳キー５５が押下されたか否かを判断する（ステップＳ２６）。ステップＳ２６において、電話帳キー２６が押下されたと判断したときには、システムコントロール部１２１は、フラッシュメモリ１２４に既に記憶されている電話帳情報の中に、当該レストランの名前や電話番号が既に記憶されているか否かを判断する（ステップＳ２７）。
【０１５５】
ステップＳ２７の判断処理において、同じ電話帳情報が記憶されていないと判断したときには、システムコントロール部１２１は、ＤＲＡＭ１２３から読み出され現在表示中の当該レストラン情報のうち、予約を入れた当該レストランの名前と電話番号とから電話長情報を形成し、これをフラッシュメモリ１２４の電話帳情報の記憶領域に追加記録する（ステップＳ２８）。
【０１５６】
そして、ステップＳ２２の判断処理において、予約日時の入力がなかったと判断した場合には、システムコントロール１２１は、例えば、終了キーが押下されるなどの終了操作が行われたか否かを判断する（ステップＳ２９）。このステップＳ２９の判断処理において、終了操作が行われていないと判断したときには、ステップＳ２１からの処理を繰り返し、終了操作が行われたと判断したときには、この図１１に示す処理を終了する。
【０１５７】
同様に、ステップＳ２５の処理により予約先のレストラン情報を予定表情報に転記した後、または、ステップＳ２８の処理により予約先のレストラン名と電話番号とを電話帳情報に転記した後においては、ステップＳ２９の判断処理に進み、終了操作が行われたか否かを判断し、終了操作が行われていなければ、ステップＳ２１からの処理を繰り返し、終了操作が行われていれば、図１１に示す処理を終了させる。
【０１５８】
また、ステップＳ２６の判断処理において、電話帳キーが押下されていないと判断された場合、および、ステップＳ２７の判断処理において、電話帳に予約したレストランの名称、電話番号が既に登録されていた場合にも、ステップＳ２９の処理に進み、終了操作が行われたか否かを判断することになる。
【０１５９】
このように、この実施の形態の会員端末１は、共通サーバ装置２から提供を受けたレストラン情報や入力された予約日時から、スケジュール管理機能で用いられる予定表情報や、電話帳機能で用いられる電話帳情報を形成し、これを、予定表情報の記憶領域、電話帳情報の記憶領域に記憶させ、スケジュール管理機能、電話帳機能で用いることができるようにされる。
【０１６０】
この場合、予定表情報、電話帳情報の形成および記録は、システムコントロール１２１により、自動的に行なわれる。このため、会員端末１の使用者の手を煩わせることなく、迅速かつ正確に必要な情報を予定表情報の記憶領域や電話帳情報の記憶領域に記録し、それぞれの機能において利用することができるようにされる。
【０１６１】
また、前述したように、共通サーバ装置２から提供されたレストラン情報をそのまま予定表情報に張り付けるようにすることができる。このため、共通サーバ装置２からの情報が、図６に示したように、地図情報などのグラフィック情報を有する場合には、このグラフィックス情報をも予定表情報を構成する一部の情報として記憶させ、スケジュール管理機能を用いて利用することができる。つまり、使用者の作業を増やすことなく、より多くの有用な情報を取得し利用可能にすることができる。
【０１６２】
［他の例］
また、会員端末１は、共通サーバ装置２から提供を受けた情報だけでなく、会員端末１に保持している情報を他の機能で用いられる情報として転記することもできる。例えば、電話帳機能を用いてＬＣＤ１０５に表示させた電話帳情報に基づいて、相手先に電話をかけ、会う約束をしたときには、約束日時、および、電話帳情報から取得可能な約束をした相手先の名前（人名）と電話番号（その人に関する情報）とを予定表情報として予定表情報の記憶領域に転記することができる。
【０１６３】
図１２は、電話帳機能を動作させた場合に表示される電話帳情報の表示画面の一例を示す図である。前述したように、この例の会員端末１において、電話帳情報の表示画面は、実行されている機能のタイトル表示欄７１、相手先の名前の表示欄７２、相手先の電話番号の表示欄７３を有するとともに、約束日時の入力表示欄７４、ソフトウエアキーとして操作可能にされた約束キー７５を有している。
【０１６４】
そして、この実施の形態の会員端末１は、電話帳機能を用いて電話をかける相手先の情報をＬＣＤ１０５に表示し、ジョグダイヤルキーを回動操作することにより、相手先の情報の表示欄にカーソルを位置付ける。そして、ジョグダイヤルキー１０９を押下操作することにより、カーソルを位置付けた電話帳情報を用いて、相手先に自動的に電話をかけることができるようにされている。
【０１６５】
そして、電話をかけた相手先と通話を行い、その相手先と例えば会う約束をしたり、電話をかける約束をした場合には、電話帳情報が表示されている状態にあるときに、約束日時の入力表示欄７４に約束日時を入力し、約束キー７５を押下する。約束キー７５が押下されたことを検知すると、会員端末１のシステムコントロール部１２１は、フラッシュメモリ１２４に記憶されている電話帳情報のうち、カーソルが位置付けられている電話帳情報と約束日時とから予定表情報を形成し、これをフラッシュメモリ１２４の予定表情報の記憶領域に追加記録する。これによって、電話帳情報から形成した予定表情報をスケジュール管理機能を用いて利用することができるようにしている。
【０１６６】
図１３は、予定表情報の表示例を説明するための図である。図１２を用いて前述したように、約束日時入力表示欄７４に約束日時が入力され、約束キーが押下されたときに、カーソルが位置付けられている電話帳情報の名前（掛布○○）および電話番号（３３３−４４４−５５５５）が、約束日時と対応付けられて、フラッシュメモリ１２４に設けられている予定表情報の記憶領域に記録される。
【０１６７】
このため、図１３に示すように、予定表情報を表示するようにしたときには、約束日時と電話帳情報（名前と電話番号）とが関連付けられて表示される。つまり、この例の場合には、１９９８年１月１６日の午後１時に、掛布○○という人と約束があることが表示され、スケジュール表を参照することで、約束のある日時、その約束の相手先の名前、電話番号を一目で確認することができる。
【０１６８】
［電話帳情報から形成される予定表情報の記録時の動作］
次に、電話帳機能を用いてＬＣＤ１０５に表示している電話帳情報から形成される予定表情報を予定表情報の記録領域に記録して利用可能にする場合の動作を図１４のフローチャートを参照しながら説明する。この場合においても、電話帳機能は、会員端末１の蓋１０１が本体１００に対して開かれた状態にあるときに、ＬＣＤ１０５の表示画面に表示される実行可能な機能の一覧メニューから選択されて実行される。
【０１６９】
機能の一覧メニューの中から、ジョグダイヤルキー１０９やタッチペン１０７を用いて、電話帳機能を選択すると、会員端末１のシステムコントロール部１２１は、電話帳機能のモードとなり、フラッシュメモリ１２４に記憶されている電話帳情報を、例えば、名前の５０音順にあ行から表示する（ステップＳ３１）。
【０１７０】
そして、先述したように、この実施の形態においては、ダイヤルキー１０８を操作することなく、ＬＣＤ１０５に表示された電話帳情報を用いて、相手先に電話をかけることができるようにされている。そして、この電話帳情報を用いて、相手先に電話をかけ、例えば会う約束をする場合もある。
【０１７１】
このため、システムコントロール部１２１は、電話帳情報をＬＣＤ１０５に表示した後、約束日時の入力を受け付け（ステップＳ３２）、約束日時が入力されたか否かを判断する（ステップＳ３３）。ステップＳ３３の判断処理において、約束日時が入力されたと判断したときには、システムコントロール部１２１は、図１２を用いて前述したように、電話帳情報の表示画面において、約束キー７５が押下されたか否かを判断する（ステップＳ３４）。
【０１７２】
ステップＳ３４の判断処理において、約束キー７５が押下されたと判断したときには、システムコントロール部１２１は、入力された約束日時とカーソルが位置付けられている電話帳情報（この例においては、約束をした相手先の名前と電話番号）とから予定表情報を形成し、これををフラッシュメモリ１２４に記憶されている予定表情報の記憶領域に転記する（ステップＳ３５）。
【０１７３】
そして、ステップＳ３２の判断処理において、約束日時の入力がなかったと判断した場合、および、ステップＳ３５の処理において、約束をした相手先の電話帳情報を予定表情報に転記した後、および、ステップＳ３４の判断処理において、約束キー７５が押下されていないと判断したときには、システムコントロール１２１は、例えば、終了キーが押下されるなどの終了操作が行われたか否かを判断する（ステップＳ３６）。このステップＳ３６の判断処理において、終了操作が行われていないと判断したときには、ステップＳ３１からの処理を繰り返し、終了操作が行われたと判断したときには、この図１４に示す処理を終了する。
【０１７４】
このように、この実施の形態の会員端末１は、電話帳機能で用いられる電話帳情報のうち、約束をした相手先の電話帳情報と約束日時とからスケジュール管理機能で用いられる予定表情報を形成し、これを予定表情報の記憶領域に転記し、スケジュール機能で用いることができるようにしている。
【０１７５】
この場合にも、会員端末１の使用者は、約束日時を入力し、約束キーを押下するとう簡単な操作で、約束をした相手先の電話番号情報から予定表情報を形成し、予定表情報の記憶領域に記憶し、利用することができる。
【０１７６】
なお、前述した実施の形態においては、入力された予約日時と共通サーバ装置２から取得したレストラン情報を、スケジュール管理機能で用いられる予定表情報の記憶領域に記録したり、取得したレストラン情報から形成される情報を電話帳機能で用いられる電話帳情報の記憶領域に記録する場合、および、電話帳情報から形成される情報を予定表情報の記憶領域に記録する場合を例にして説明した。しかし、これに限るものではない。
【０１７７】
例えば、共通サーバ装置２から提供される情報は、宿泊施設情報や映画館情報など様々な情報が提供されるようにされており、これらの提供情報により示されるサービスの内容と予約日時、すなわち、前記サービスを受ける予定日時とから形成される予定表情報を予定表情報の記録領域に記録するようにすることができる。
【０１７８】
また、提供情報により示されるサービスの提供者を示す情報や、そのサービスの提供者の連絡先など、その提供者に関する情報を電話帳情報として電話帳情報の記憶領域に記憶させることができる。
【０１７９】
すなわち、共通サーバ装置２を通じて提供を受けた情報や、この会員端末１に記憶保持されている各種の情報を、他の機能で用いられる情報として、当該他の機能で用いられる情報の記憶領域に転記して当該他の機能により利用するようにすることができる。
【０１８０】
また、前述の実施の形態においては、電話帳情報を用いるようにしたが、これに限るものではない。例えば、アドレス情報など、会員端末１に記憶されて管理されている人名や、その人に関する情報とからなる情報を前述した電話帳情報と同じように用いることができる。
【０１８１】
また、前述の実施の形態においては、会員端末１は共通サーバ装置２から情報の提供を受けるものとして説明したが、これに限るものではなく、インターネットプロバイダを通じて接続されるインターネットより情報を取得するようにする情報処理端末にもこの発明を適用することができる。
【０１８２】
また、情報処理端末は、携帯型の情報処理端末に限るものではなく、パーソナルコンピュータなど、家屋内において用いられる情報処理端末にもこの発明を適用することができる。
【０１８３】
また、前述した実施の形態においては、ファクシミリ機能、電子メール機能、ＷＷＷブラウザ機能などの各種の機能の実行は、ＬＣＤ１０５に表示されるメニューから選択することにより行うようにしたが、これらの各機能を実行するためのダイレクトキーを会員端末１に設け、各機能に対応するダイレクトキーを押下したときに、押下されたダイレクトキーに対応する機能を実行するようにすることももちろんできる。
【０１８４】
【発明の効果】
以上説明したように、請求項１、請求項４に記載の発明によれば、いわゆるスケジュール管理機能を用いて予定表情報を入力（書き写す）ことなく、入力された予定日時と、表示中の提供情報の人名などの情報に基づいて予定表情報を形成し、これを第１の記憶部に書き込むことができる。したがって、使用者の手を煩わせることなく、しかも正確に予定表情報を形成し、これを第１の記憶部に記憶し、利用可能にすることができる。
【０１８５】
また、請求項３、請求項５に記載の発明によれば、いわゆるスケジュール管理機能を用いて予定表情報を入力（書き写す）ことなく、入力された予定日時と、表示中の提供情報から抽出される情報とから予定表情報を形成し、予定表情報の記憶部に書き込むことができる。この場合においても、使用者の手を煩わせることなく、しかも正確に予定表情報を形成し、これを予定表情報の記憶部に記憶して、利用可能にすることができる。
【図面の簡単な説明】
【図１】この発明による情報処理端末が用いられるネットワーク構成の全体の概要を示す図である。
【図２】図１の具体的なネットワーク構成例を示す図である。
【図３】図１に示した共通サーバ装置を説明するためのブロック図である。
【図４】この発明による情報処理端末の一実施の形態の外観を示す図である。
【図５】図４に示した情報処理端末を説明するためのブロック図である。
【図６】この発明による情報処理端末が共通サーバ装置より取得して表示されるレストラン情報の表示例を説明するための図である。
【図７】この発明による情報処理端末において提供されるスケジュール管理機能の利用時に表示される予定表の表示例を説明するための図である。
【図８】この発明による情報処理端末において提供される電話帳機能の利用時に表示される電話帳情報の表示例を説明するための図である。
【図９】この発明による情報通信方法の一実施の形態において、レストラン情報などの提供情報を共通サーバ装置から提供を受ける場合の処理を説明するためのフローチャートである。
【図１０】図９に続くフローチャートである。
【図１１】この発明による情報処理端末において、取得した情報を他の機能により利用可能な情報として記録する場合の処理を説明するためのフローチャートである。
【図１２】この発明による情報処理端末において提供される電話帳機能の利用時に表示される電話帳情報の表示例を説明するための図である。
【図１３】この発明による情報処理端末において電話帳情報から予定表情報に記録された情報が表示される予定表情報の表示例を説明するための図である。
【図１４】この発明による情報処理端末において、取得した情報を他の機能により利用可能な情報として転記する場合の処理を説明するためのフローチャートである。
【符号の説明】
１…携帯情報端末（会員端末）、２…共通サーバ装置、２ａ…バッファメモリ、２ｂ…擬似着呼サービス部、２ｃ…会員情報記憶部、２ｄ…プログラム管理部、３…携帯無線通信端末用ネットワーク、４…アクセスポイント、５…専用基幹ネットワーク、６…無線基地局、７…ネットワーク管理サーバ装置、１１…コンテンツ提供装置、２１…マスターサーバ、２１Ｍ…メモリ、２２…メールサーバ、２３…ファクシミリサーバ、２４…着信通知サーバ、１００…携帯無線通信端末本体、１０１…蓋、１０２…テンキー、１０３…アンテナ、１０５…ＬＣＤ，１０６…タッチパネル、１０８…キー釦、１２１…システムコントロール部、１２２…ＲＯＭ、１２３…ＤＲＡＭ、１２４…フラッシュメモリ、５４…予約日時入力欄、５５…電話帳キー、５６…予定表キー、約束日時入力欄…７４、７５…約束キー
【図１】
0003968544.tif 000002
【図２】
0003968544.tif 000003
【図３】
0003968544.tif 000004
【図４】
0003968544.tif 000005
【図５】
0003968544.tif 000006
【図６】
0003968544.tif 000007
【図７】
0003968544.tif 000008
【図８】
0003968544.tif 000009
【図９】
0003968544.tif 000010
【図１０】
0003968544.tif 000011
【図１１】
0003968544.tif 000012
【図１２】
0003968544.tif 000013
【図１３】
0003968544.tif 000014
【図１４】
0003968544.tif 000015